(57)【要約】【課題】コネクタに対して固着する際にコネクタに対する位置決め作業を容易に実施可能なコネクタ固定具を提供すること。【解決手段】コネクタ固定具は、固定具本体及び位置決め部材を備える。固定具本体は、固着部、抜止部及び当接部を備える。固定具本体が第１コネクタに取り付けられる際、固着部は、ｚ軸方向について固定具本体と第１コネクタとの相対位置を位置決めする。当接部は、ｙ軸方向について固定具本体と第１コネクタとの相対位置を位置決めする。位置決め部材は、ｘ軸方向について固定具本体と第１コネクタとの相対位置を位置決めする。位置決め部材は、固定具本体から分離可能に構成されている。【選択図】図５
2020068115.tif 000002
【特許請求の範囲】
【請求項１】
固定具本体及び位置決め部材を備え、
前記固定具本体は、固着部、抜止部及び当接部を備え、
前記固着部は、前記固定具本体が第１コネクタに取り付けられる際に、前記第１コネクタに固着可能に構成され、前記固着部が前記第１コネクタに固着された際に、互いに直交するｘ軸方向、ｙ軸方向及びｚ軸方向のうち、前記ｚ軸方向について、前記固定具本体と前記第１コネクタとの相対位置を位置決め可能に構成され、
前記抜止部は、前記固定具本体が前記第１コネクタに取り付けられた状態で当該第１コネクタが第２コネクタに接続された際に、前記第２コネクタを備える機器が有する箇所に引っ掛かることにより、前記第１コネクタが前記第２コネクタから外れる方向へ変位するのを抑制可能に構成され、
前記当接部は、前記固定具本体が前記第１コネクタに取り付けられる際に、前記第１コネクタに当接することにより、前記ｙ軸方向について、前記固定具本体と前記第１コネクタとの相対位置を位置決め可能に構成され、
前記位置決め部材は、前記固定具本体が前記第１コネクタに取り付けられる際に、前記第１コネクタに当接することにより、前記ｘ軸方向について、前記固定具本体と前記第１コネクタとの相対位置を位置決め可能に構成され、
前記位置決め部材は、前記固定具本体から分離可能に構成されている
コネクタ固定具。
【請求項２】
請求項１に記載のコネクタ固定具であって、
前記第１コネクタは、ハウジング部と、前記ハウジング部から突出する金属製の接続部とを有し、前記第２コネクタに接続される際には、前記接続部が前記第２コネクタの内部へと挿し込まれるように構成され、
前記位置決め部材は、前記固定具本体が前記第１コネクタに取り付けられる際に、前記接続部に当接することにより、前記ｘ軸方向について、前記固定具本体と前記第１コネクタとの相対位置を位置決め可能に構成されている
コネクタ固定具。
【請求項３】
請求項２に記載のコネクタ固定具であって、
前記位置決め部材は、間隔を空けて対向する２つの壁面を有し、前記２つの壁面間の間隔方向が前記ｘ軸方向に平行となり、かつ前記接続部の突出方向が前記ｙ軸方向に平行となる向きにされた状態で、前記接続部における前記ｘ軸方向の両端を前記２つの壁面間に挟み込むことにより、前記ｘ軸方向について、前記固定具本体と前記第１コネクタとの相対位置を位置決め可能に構成されている
コネクタ固定具。
【請求項４】
請求項３に記載のコネクタ固定具であって、
前記位置決め部材は、樹脂材料によって前記固定具本体及び前記位置決め部材と一体成形された少なくとも１つの連結部を介して、前記固定具本体に対して相対的に揺動可能に連結され、前記位置決め部材を揺動させて前記連結部を破断することにより、前記位置決め部材を前記固定具本体から分離可能に構成されている
コネクタ固定具。
【請求項５】
請求項４に記載のコネクタ固定具であって、
前記少なくとも１つの連結部として、第１連結部と第２連結部とを備え、
前記第１連結部と前記第２連結部が前記ｘ軸方向に間隔を空けて設けられることにより、前記位置決め部材の揺動中心が前記ｘ軸方向に平行となるように構成されている
コネクタ固定具。
【発明の詳細な説明】
【技術分野】
【０００１】
本開示は、コネクタ固定具に関する。
【背景技術】
【０００２】
モジュラプラグ（本開示でいう第１コネクタの一例に相当。）のロック爪が折り取られたときに代替として使用するロック爪代替用冶具が提案されている（例えば、特許文献１参照。）。このようなロック爪代替用冶具を用いれば、モジュラプラグがモジュラジャック（本開示でいう第２コネクタの一例に相当。）から抜けるのを抑制できる。
【先行技術文献】
【特許文献】
【０００３】
【特許文献１】特開２００５−１４２１２７号公報
【発明の概要】
【発明が解決しようとする課題】
【０００４】
しかし、上述のロック爪代替用冶具（１）の場合、固着板部（１ａ）でプラグ本体（３ａ）の上面に固着する際に、プラグ本体の上面において固着板部の位置を最適な位置に位置決めすることが容易ではない。
【０００５】
より詳しくは、上述のロック爪代替用冶具の場合、固着板部の先端部を基端部（３ｂ）に突き当てるようにして固着する。したがって、プラグの挿し込み方向と平行な方向（本開示でいうｙ軸方向に相当。）については、固着板部を位置決めすることができる。しかし、プラグの挿し込み方向に直交する方向（本開示でいうｘ軸方向に相当。）については、固着板部を位置決めすることができない。したがって、プラグの挿し込み方向に直交する方向については、ロック爪代替用冶具がプラグの中心から偏った位置に配置される可能性がある。この場合、その偏りが大きくなれば、ロック爪代替用冶具がモジュラジャック側の構造に引っ掛からなくなったり、ロック爪代替用冶具が邪魔になってモジュラプラグをモジュラジャックに挿し込めなくなったりするおそれがある。
【０００６】
本開示の一局面においては、コネクタに対して固着する際にコネクタに対する位置決め作業を容易に実施可能なコネクタ固定具を提供することが望ましい。
【課題を解決するための手段】
【０００７】
本開示の一態様は、コネクタ固定具であって、固定具本体及び位置決め部材を備える。固定具本体は、固着部、抜止部及び当接部を備える。固着部は、固定具本体が第１コネクタに取り付けられる際に、第１コネクタに固着可能に構成され、固着部が第１コネクタに固着された際に、互いに直交するｘ軸方向、ｙ軸方向及びｚ軸方向のうち、ｚ軸方向について、固定具本体と第１コネクタとの相対位置を位置決め可能に構成される。抜止部は、固定具本体が第１コネクタに取り付けられた状態で当該第１コネクタが第２コネクタに接続された際に、第２コネクタを備える機器が有する箇所に引っ掛かることにより、第１コネクタが第２コネクタから外れる方向へ変位するのを抑制可能に構成される。当接部は、固定具本体が第１コネクタに取り付けられる際に、第１コネクタに当接することにより、ｙ軸方向について、固定具本体と第１コネクタとの相対位置を位置決め可能に構成される。位置決め部材は、固定具本体が第１コネクタに取り付けられる際に、第１コネクタに当接することにより、ｘ軸方向について、固定具本体と第１コネクタとの相対位置を位置決め可能に構成される。また、位置決め部材は、固定具本体から分離可能に構成されている。
【０００８】
このように構成されたコネクタ固定具によれば、固着部を第１コネクタに固着することにより、固定具本体を第１コネクタに取り付けることができる。固定具本体が第１コネクタに取り付けられた状態で当該第１コネクタが第２コネクタに接続された際には、第２コネクタを備える機器が有する箇所に抜止部が引っ掛かり、抜止部は第１コネクタが第２コネクタから外れる方向へ変位するのを抑制する。したがって、このような固定具本体を利用して、第１コネクタが第２コネクタから外れるのを抑制することができる。
【０００９】
また、固定具本体が第１コネクタに取り付けられる際、固定具本体と第１コネクタとの相対位置を、ｘ軸方向については位置決め部材によって位置決めでき、ｙ軸方向については当接部によって位置決めでき、ｚ軸方向については固着部によって位置決めできる。したがって、ｘ軸方向、ｙ軸方向及びｚ軸方向のうち、いずれか１つ以上の方向について位置決めができない場合に比べ、固定具本体を精度よく位置決めして第１コネクタに取り付けることができる。
【００１０】
さらに、位置決め部材を固定具本体から分離させることができる。そのため、固着部が第１コネクタに固着されたら、位置決め部材を固定具本体から分離させることにより、位置決め部材を除去することができる。したがって、位置決め部材を除去できない場合に比べ、第１コネクタに取り付けられる構造物をコンパクトな構造にすることができる。また、位置決め部材が除去されれば、第１コネクタを第２コネクタに接続する際に、位置決め部材が邪魔になるようなことはない。換言すれば、除去されない場合には第１コネクタを第２コネクタに接続する際に邪魔になるような位置決め部材であっても問題はない。したがって、第１コネクタを第２コネクタに接続する際に邪魔になるか否かについては配慮することなく、位置決め部材を所望の位置に配置できる。
【図面の簡単な説明】
【００１１】
【図１】図１Ａはコネクタ固定具を左上前方から見た斜視図である。図１Ｂはコネクタ固定具を右下後方から見た斜視図である。
【図２】図２Ａはコネクタ固定具の平面図である。図２Ｂはコネクタ固定具の底面図である。
【図３】図３Ａはコネクタ固定具の正面図である。図３Ｂはコネクタ固定具の左側面図である。図３Ｃはコネクタ固定具の背面図である。
【図４】図４Ａは図３Ａ中にＩＶＡ−ＩＶＡ線で示す切断面における断面図である。図４Ｂは図３Ａ中にＩＶＢ−ＩＶＢ線で示す切断面における断面図である。
【図５】図５Ａは第１コネクタ及びコネクタ固定具を示す斜視図である。図５Ｂは第１コネクタにコネクタ固定具が取り付けられた状態を示す斜視図である。図５Ｃは第１コネクタに取り付けられたコネクタ固定具から位置決め部材が除去された状態を示す斜視図である。
【図６】図６Ａはコネクタ固定具の位置決め部材が第１コネクタの接続部に当接している状態を示す底面図である。図６Ａはコネクタ固定具の当接部が第１コネクタのハウジング部に当接している状態を示す縦断面図である。
【図７】図７Ａは固定具本体が取り付けられた第１コネクタを第２コネクタに接続する前の状態を示す斜視図である。図７Ｂは固定具本体が取り付けられた第１コネクタを第２コネクタに接続した後の状態を示す斜視図である。
【図８】図８Ａは固定具本体が取り付けられた第１コネクタを第２コネクタに接続する前の状態を示す縦断面図である。図８Ｂは固定具本体が取り付けられた第１コネクタを第２コネクタに接続した後の状態を示す縦断面図である。
【図９】図９は位置決め部材の別例を示す縦断面図である。
【発明を実施するための形態】
【００１２】
次に、上述のコネクタ固定具について、例示的な実施形態を挙げて説明する。本実施形態においては、図中に併記した前後左右上下の各方向を利用して説明を行う。これらの各方向は、コネクタ固定具の正面図（図３Ａ参照。）に表れる箇所が向けられる方向を前、背面図（図３Ｃ参照。）に表れる箇所が向けられる方向を後、左側面図（図３Ｂ参照。）に表れる箇所が向けられる方向を左、右側面図（図示略。右側面図は左側面図と対称に表れる。）に表れる箇所が向けられる方向を右、平面図（図２Ａ参照。）に表れる箇所が向けられる方向を上、底面図（図２Ｂ参照。）に表れる箇所が向けられる方向を下、と規定した相対的な方向である。
【００１３】
ただし、これらの各方向は、コネクタ固定具を構成する各部の相対的な位置関係を簡潔に説明するために規定した方向にすぎない。したがって、例えばコネクタ固定具の使用時等に、コネクタ固定具がどのような方向に向けられるかは不定である。なお、本実施形態でいう左右方向が本開示でいうｘ軸方向に相当し、本実施形態でいう前後方向が本開示でいうｙ軸方向に相当し、本実施形態でいう上下方向が本開示でいうｚ軸方向に相当する。
【００１４】
［コネクタ固定具の構成］
図１Ａ、図１Ｂ、図２Ａ、図２Ｂ、図３Ａ、図３Ｂ及び図３Ｃに示すように、コネクタ固定具１は、固定具本体３及び位置決め部材５を備える。固定具本体３と位置決め部材５は、第１連結部７Ａ及び第２連結部７Ｂ（第１連結部７Ａ及び第２連結部７Ｂは、本開示でいう連結部の一例に相当。）を介して連結されている。これらコネクタ固定具１を構成する各部は、樹脂材料によって一体成形されている。固定具本体３は、固着部１１、支持部１３、抜止部１５、第１当接部１７Ａ及び第２当接部１７Ｂ（第１当接部１７Ａ及び第２当接部１７Ｂは、本開示でいう当接部の一例に相当。）を備える。
【００１５】
固着部１１は、上下方向が板厚方向となる平板状に構成されている。支持部１３は、固着部１１の前端から前方へと突出している。第１当接部１７Ａ及び第２当接部１７Ｂは、支持部１３の下側に設けられている。抜止部１５は、図４Ａに示すように、支持部１３の前端付近から斜め上後方へと延出している。抜止部１５は、支持部１３に連結された前端を固定端、後端を自由端として、固定端側を揺動中心として自由端側が上下方向へ揺動可能な状態で支持されている。
【００１６】
固着部１１及び支持部１３の上側には、図２Ａ，図３Ａ，図３Ｂ及び図３Ｃに示すように、リブ２１Ａ，２１Ｂ，２１Ｃ，２１Ｄ，２１Ｅ，２１Ｆが設けられている。抜止部１５の上側には、図２Ａ，図３Ａ及び図３Ｂに示すように、リブ２１Ｇ，２１Ｈが設けられている。抜止部１５の下側には、図２Ｂ，図３Ｂ及び図３Ｃに示すように、リブ２１Ｉ，２１Ｊが設けられている。これらのリブ２１Ａ〜２１Ｊにより、リブ２１Ａ〜２１Ｊが設けられた箇所の曲げ剛性が高められている。
【００１７】
位置決め部材５は、図２Ａ，図２Ｂ及び図３Ｃに示すように、左右方向に間隔を空けて対向する第１壁面２３Ａ及び第２壁面２３Ｂを有する。第１連結部７Ａ及び第２連結部７Ｂは、図２Ａ、図２Ｂ、図３Ｂ及び図４Ｂ等に表れるように、位置決め部材５に連結された一端から、固定具本体３に連結された他端にかけて、徐々に細くなる形状にされている。
【００１８】
以上のように構成されたコネクタ固定具１は、図５Ａ、図５Ｂ及び図５Ｃに示すように、第１コネクタ３１に取り付けられる。本実施形態において、第１コネクタ３１は、ＵＳＢ（Universal Serial Bus）のＴｙｐｅ−Ｃに準拠したプラグコネクタである。第１コネクタ３１は、樹脂製のハウジング部３３と、ハウジング部３３から突出する金属製の接続部３５とを有する。
【００１９】
コネクタ固定具１を第１コネクタ３１に取り付ける際には、まず、図５Ｂに示すように、固定具本体３及び位置決め部材５の双方が第１コネクタ３１に取り付けられる。その際、固着部１１は、第１コネクタ３１のハウジング部３３に固着される。本実施形態の場合、固着部１１には両面テープ４１が貼着されている。この両面テープ４１により、固着部１１を第１コネクタ３１のハウジング部３３に固着することができる。
【００２０】
固着部１１を第１コネクタ３１に固着する際には、固定具本体３と第１コネクタ３１との相対位置が位置決めされる。具体的には、左右方向については、図６Ａに示すように、第１コネクタ３１の接続部３５を位置決め部材５に嵌め込むことにより、固定具本体３と第１コネクタ３１との相対位置を位置決めすることができる。第１コネクタ３１の接続部３５が位置決め部材５に嵌め込まれる際には、第１壁面２３Ａと第２壁面２３Ｂとの間隔方向が左右方向に平行、かつ接続部３５の突出方向が前後方向に平行となる向きにされた状態で、接続部３５における左右方向の両端を第１壁面２３Ａと第２壁面２３Ｂとの間に挟み込む。
【００２１】
第１コネクタ３１の接続部３５は、規格に準拠した形状及び寸法とされている。そのため、形状及び寸法が不定なハウジング部３３とは異なり、接続部３５をぴったりと位置決め部材５の第１壁面２３Ａと第２壁面２３Ｂとの間に嵌め込むことができる。また、第１コネクタ３１の接続部３５は、金属製であるため、樹脂製のハウジング部３３よりも寸法精度が高い。したがって、このような接続部３５を位置決め部材５に嵌め込めば、高い精度で左右方向の位置決めを行うことができる。
【００２２】
また、前後方向については、第１当接部１７Ａ及び第２当接部１７Ｂを第１コネクタ３１のハウジング部３３の前端に当接させることにより、固定具本体３と第１コネクタ３１との相対位置を位置決めすることができる（図６Ｂ参照。ただし、図６Ｂには第２当接部１７Ｂを図示。）。このような手法で固定具本体３と第１コネクタ３１との相対位置を左右方向及び前後方向について位置決めしたら、その状態で固着部１１を第１コネクタ３１に固着すれば、固着部１１によって固定具本体３と第１コネクタ３１との相対位置を、上下方向についても位置決めすることができる。
【００２３】
以上のようにしてコネクタ固定具１を第１コネクタ３１に取り付けたら、次に、位置決め部材５を固定具本体３から分離させ、位置決め部材５を除去する。これにより、図５Ｃに示すように、第１コネクタ３１には、固定具本体３だけが残される状態となる。本実施形態の場合、位置決め部材５を揺動させて第１連結部７Ａ及び第２連結部７Ｂを破断することにより、位置決め部材５を固定具本体３から分離することができる。
【００２４】
より詳しくは、本実施形態の場合、第１連結部７Ａ及び第２連結部７Ｂは、上述の通り、固定具本体３に連結された箇所が最も細くて脆弱になっている。しかも、第１連結部７Ａ及び第２連結部７Ｂは、左右方向に間隔を空けた２箇所に設けられている。そのため、位置決め部材５に対して外力が加えられると、第１連結部７Ａ及び第２連結部７Ｂは脆弱な箇所で折り曲げられ、その結果、位置決め部材５は左右方向に平行な軸線を中心に揺動する。
【００２５】
したがって、位置決め部材５を１回以上揺動させれば、第１連結部７Ａ及び第２連結部７Ｂの脆弱な箇所に負荷がかかり、当該箇所で第１連結部７Ａ及び第２連結部７Ｂを破断することができる。なお、位置決め部材５の第１壁面２３Ａと第２壁面２３Ｂとの間には、第１コネクタ３１の接続部３５が配置されているが、位置決め部材５は左右方向に平行な軸線を中心に揺動するので、位置決め部材５の揺動が接続部３５によって妨げられることはない。また、位置決め部材５は上下方向又は前後方向に平行な軸線を中心には揺動しにくいので、左右方向の位置決め精度を良好にすることができる。
【００２６】
固定具本体３が取り付けられた第１コネクタ３１は、図７Ａ及び図７Ｂに示すように、第２コネクタ５１に接続される。本実施形態において、第２コネクタ５１は、ＵＳＢのＴｙｐｅ−Ｃに準拠したレセプタクルコネクタである。第２コネクタ５１は、電子回路基板５３に実装されている。この電子回路基板５３は、第２コネクタ５１を備える機器の外装を構成するパネル５５の内側に配置されている。パネル５５には、図７Ａに示すように、開口部５７が形成されている。開口部５７の一部には第２コネクタ５１が嵌め込まれている。
【００２７】
第１コネクタ３１を第２コネクタ５１に接続する際、第１コネクタ３１及び固定具本体３が、図８Ａに示す位置から図８Ｂに示す位置へと移動すると、固定具本体３の前端側の一部は、開口部５７を通ってパネル５５の内側へと入り込む。このとき、抜止部１５は、開口部５７の上側でパネル５５に接触して弾性変形し、パネル５５の内側へと入り込んだ部分がパネル５５の内側に引っ掛かる。この状態において、抜止部１５は、第１コネクタ３１が第２コネクタ５１から外れる方向へ変位するのを抑制する。
【００２８】
第１コネクタ３１を第２コネクタ５１から取り外す際には、抜止部１５の自由端（図中でいう後端。）を図中でいう下方へと押圧する。これにより、抜止部１５がパネル５５に引っ掛かっている状態を解除することができるので、第１コネクタ３１及び固定具本体３を、図８Ｂに示す位置から図８Ａに示す位置へと引き抜くことができる。
【００２９】
［効果］
以上説明した通り、上記コネクタ固定具１によれば、固着部１１を第１コネクタ３１に固着することにより、固定具本体３を第１コネクタ３１に取り付けることができる。固定具本体３が第１コネクタ３１に取り付けられた状態で第１コネクタ３１が第２コネクタ５１に接続された際には、第２コネクタ５１を備える機器が有するパネル５５に抜止部１５が引っ掛かり、抜止部１５は第１コネクタ３１が第２コネクタ５１から外れる方向へ変位するのを抑制する。したがって、このような固定具本体３を利用して、第１コネクタ３１が第２コネクタ５１から外れるのを抑制することができる。
【００３０】
また、固定具本体３が第１コネクタ３１に取り付けられる際、固定具本体３と第１コネクタ３１との相対位置を、左右方向については位置決め部材５によって位置決めでき、前後方向については第１当接部１７Ａ及び第２当接部１７Ｂによって位置決めでき、上下方向については固着部１１によって位置決めできる。したがって、左右方向、前後方向及び上下方向のうち、いずれか１つ以上の方向について位置決めができない場合に比べ、固定具本体３を精度よく位置決めして第１コネクタ３１に取り付けることができる。
【００３１】
さらに、固着部１１が第１コネクタ３１に固着された状態で位置決め部材５を固定具本体３から分離させることにより、位置決め部材５を除去することができる。したがって、位置決め部材５を除去できない場合に比べ、第１コネクタ３１に取り付けられる構造物をコンパクトな構造にすることができる。また、位置決め部材５が除去されれば、第１コネクタ３１を第２コネクタ５１に接続する際に、位置決め部材５が邪魔になるようなことはない。したがって、上記位置決め部材５のように、除去されない場合には第１コネクタ３１を第２コネクタ５１に接続する際に邪魔になるような位置に位置決め部材５が配置されていても問題がない。
【００３２】
［他の実施形態］
以上、コネクタ固定具１について、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００３３】
例えば、上記実施形態では、固着部１１が両面テープ４１で第１コネクタ３１に固着されるように構成されていたが、固着部１１は、両面テープ４１以外の固着手段で第１コネクタ３１に固着可能に構成されていてもよい。例えば、両面テープ４１に代えて接着剤を用いてもよい。あるいは、第１コネクタ３１のハウジング部３３をコネクタ固定具１に対応した専用品にできる場合は、固着部１１及び第１コネクタ３１のハウジング部３３に互いに係合する係合機構を設けてもよい。
【００３４】
また、上記実施形態では、位置決め部材５によって左右方向について固定具本体３と第１コネクタ３１の位置決めを行う旨を説明したが、位置決め部材５を利用して上下方向や前後方向についての位置決めを行うように構成してもよい。例えば、図９に示すように、第１コネクタ３１の接続部３５に嵌まり込む凸部６１を位置決め部材５に設けて、この凸部６１で上下方向や前後方向について固定具本体３と第１コネクタ３１の位置決めを行うことができる。
【００３５】
また、上記実施形態では、本開示でいう当接部の例として、第１当接部１７Ａ及び第２当接部１７Ｂを例示したが、当接部の数は２つに限らず、１つ又は３つ以上とされていてもよい。
【００３６】
また、上記実施形態では、本開示でいう第１コネクタ及び第２コネクタの例として、ＵＳＢのＴｙｐｅ−Ｃに準拠したプラグコネクタ及びレセプタクルコネクタを例示したが、他の形状のコネクタであってもよい。
【００３７】
以上の他、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００３８】
［補足］
なお、以上説明した例示的な実施形態から明らかなように、本開示のコネクタ固定具は、更に以下に挙げるような構成を備えていてもよい。
【００３９】
本開示の一態様では、第１コネクタは、ハウジング部と、ハウジング部から突出する金属製の接続部とを有し、第２コネクタに接続される際には、接続部が第２コネクタの内部へと挿し込まれるように構成されてもよい。位置決め部材は、固定具本体が第１コネクタに取り付けられる際に、接続部に当接することにより、ｘ軸方向について、固定具本体と第１コネクタとの相対位置を位置決め可能に構成されていてもよい。
【００４０】
本開示の一態様では、位置決め部材は、間隔を空けて対向する２つの壁面を有し、２つの壁面間の間隔方向がｘ軸方向に平行となり、かつ接続部の突出方向がｙ軸方向に平行となる向きにされた状態で、接続部におけるｘ軸方向の両端を２つの壁面間に挟み込むことにより、ｘ軸方向について、固定具本体と第１コネクタとの相対位置を位置決め可能に構成されていてもよい。
【００４１】
本開示の一態様では、位置決め部材は、樹脂材料によって固定具本体及び位置決め部材と一体成形された少なくとも１つの連結部を介して、固定具本体に対して相対的に揺動可能に連結され、位置決め部材を揺動させて連結部を破断することにより、位置決め部材を固定具本体から分離可能に構成されていてもよい。
【００４２】
本開示の一態様では、少なくとも１つの連結部として、第１連結部と第２連結部とを備えてもよい。第１連結部と第２連結部がｘ軸方向に間隔を空けて設けられることにより、位置決め部材の揺動中心がｘ軸方向に平行となるように構成されていてもよい。
【符号の説明】
【００４３】
１…コネクタ固定具、３…固定具本体、５…位置決め部材、７Ａ…第１連結部、７Ｂ…第２連結部、１１…固着部、１３…支持部、１５…抜止部、１７Ａ…第１当接部、１７Ｂ…第２当接部、２１Ａ〜２１Ｊ…リブ、２３Ａ…第１壁面、２３Ｂ…第２壁面、３１…第１コネクタ、３３…ハウジング部、３５…接続部、４１…両面テープ、５１…第２コネクタ、５３…電子回路基板、５５…パネル、５７…開口部、６１…凸部。
【図１】
2020068115.tif 000003
【図２】
2020068115.tif 000004
【図３】
2020068115.tif 000005
【図４】
2020068115.tif 000006
【図５】
2020068115.tif 000007
【図６】
2020068115.tif 000008
【図７】
2020068115.tif 000009
【図８】
2020068115.tif 000010
【図９】
2020068115.tif 000011